(57)【要約】【課題】利用者が横移乗しやすく、しかも移乗後に利用者が椅子座面から誤って横方向に移動することを防止した椅子を提供する。【解決手段】椅子は、肘掛２２と、肘掛２２を回動可能に保持する保持機構Ｈ１と、肘掛２２のロック設定、ロック解除の切り替えを行うロック機構Ｒ１とを備える。【選択図】図４
2019000464.tif 000002
【特許請求の範囲】
【請求項１】
肘掛と、
前記肘掛を回動可能に保持する保持機構と、
前記肘掛のロック設定、ロック解除の切り替えを行うロック機構と
を備える椅子。
【請求項２】
前記ロック機構は、前記肘掛の外側または裏面後部側にロック解除用の操作部を備え、
肘掛使用位置に前記肘掛が位置するときに前記操作部が操作されることでロック解除になる請求項１に記載の椅子。
【請求項３】
前記ロック機構は、ロック解除された前記肘掛が回動移動して前記肘掛使用位置に戻ったときにロック設定する請求項２に記載の椅子。
【請求項４】
前記操作部は、前記肘掛の外側にロック解除用の押しボタンを備え、
前記肘掛が前記肘掛使用位置に位置するときに前記押しボタンが押されることでロック解除になる請求項２または３に記載の椅子。
【請求項５】
前記操作部は、前記肘掛の裏面後部側にロック解除用の押上部を備え、
前記肘掛が前記肘掛使用位置に位置するときに前記押上部が押し上げられることでロック解除になる請求項２または３に記載の椅子。
【請求項６】
前記操作部は、前記肘掛の外側にロック解除用のツマミを備え、
前記肘掛が前記肘掛使用位置に位置するときに前記ツマミが引き出されることでロック解除になる請求項２または３に記載の椅子。
【請求項７】
前記肘掛、前記保持機構、および前記ロック機構を両サイドに備える請求項１〜６の何れか１項に記載の椅子。
【請求項８】
吸湿性の素材を有する座部と、
吸湿性の素材を有する背もたれと、
木製のフレーム材と
を備える請求項１〜７の何れか１項に記載の椅子。
【発明の詳細な説明】
【技術分野】
【０００１】
本実施の形態は、椅子に関する。
【背景技術】
【０００２】
椅子は、用途に応じて、利便性、すわり心地、外観などの種々の観点で改良が重ねられてきている。
【０００３】
近年では、介護や支援などをされる利用者に適した椅子が益々増えつつあり、改良が進んできている。
【０００４】
例えば、浴室で使用する椅子として、肘掛が回動可能に取付けられていて、更に、収納時には折り畳みできる椅子が提案されている（特許文献１参照）。また、福祉施設で利用される椅子として、介護、支援を目的として利用者の足腰の筋力不足を補えるように、着座するときと起立するときでは、利用者の動きに応じて座面が移動する起立補助機能を備えた椅子が提案されている（特許文献２参照）。
【先行技術文献】
【特許文献】
【０００５】
【特許文献１】特開2015-217004号公報
【特許文献２】特開2007-29284号公報
【発明の概要】
【発明が解決しようとする課題】
【０００６】
ところで、施設のフロアなどで、介護や支援をされる利用者が横移乗しやすく、しかも、横移乗後に利用者が椅子座面から誤って横方向に移動することを防止した椅子であれば、介護する上でより好ましい。
【０００７】
本実施の形態は、利用者が横移乗しやすく、しかも移乗後に利用者が椅子座面から誤って横方向に移動することを防止した椅子を提供する。
【課題を解決するための手段】
【０００８】
本実施の形態の一態様によれば、肘掛と、前記肘掛を回動可能に保持する保持機構と、前記肘掛のロック設定、ロック解除の切り替えを行うロック機構とを備える椅子が提供される。
【発明の効果】
【０００９】
本実施の形態は、利用者が横移乗しやすく、しかも移乗後に利用者が椅子座面から誤って横方向に移動することを防止した椅子を提供することができる。
【図面の簡単な説明】
【００１０】
【図１】（ａ）は第１実施形態に係る椅子の平面図、（ｂ）は（ａ）の矢視Ｇ−Ｇの側面断面図。
【図２】（ａ）は第１実施形態に係る椅子の側面図、（ｂ）は第１実施形態に係る椅子の斜視図であり、何れも肘掛を上げた状態の図。
【図３】（ａ）は第１実施形態に係る椅子の側面図、（ｂ）は第１実施形態に係る椅子の斜視図であり、何れも肘掛を肘掛使用位置にした状態の図。
【図４】第１実施形態に係る椅子で、肘掛のロック機構を説明する部分拡大断面図（ロック設定状態）。
【図５】第１実施形態に係る椅子で、肘掛のロック機構を説明する部分拡大断面図（ロック解除状態）。
【図６】（ａ）は第２実施形態に係る椅子の平面図、（ｂ）は（ａ）の矢視Ｊ−Ｊの側面断面図。
【図７】第２実施形態に係る椅子の部分断面図。
【図８】第２実施形態に係る椅子で、保持機構およびロック機構を説明する部分側面断面図（ロック設定状態）。
【図９】第２実施形態に係る椅子で、保持機構およびロック機構を説明する部分側面断面図（ロック解除状態）。
【図１０】（ａ）は第３実施形態に係る椅子の平面図、（ｂ）は（ａ）の矢視Ｋ−Ｋの側面断面図。
【図１１】（ａ）は第３実施形態に係る椅子の側面図、（ｂ）は第３実施形態に係る椅子の斜視図であり、何れも肘掛を上げた状態の図。
【図１２】（ａ）は第３実施形態に係る椅子の側面図、（ｂ）は第３実施形態に係る椅子の斜視図であり、何れも肘掛を肘掛使用位置にした状態の図。
【図１３】第３実施形態に係る椅子で、肘掛のロック機構を説明する部分拡大断面図。
【発明を実施するための形態】
【００１１】
次に、図面を参照して、実施の形態を説明する。以下の図面の記載において、同一又は類似の部分には同一又は類似の符号を付している。
【００１２】
また、以下に示す実施の形態は、技術的思想を具体化するための装置や方法を例示するものであって、構成部品の材質、形状、構造、配置等を下記のものに特定するものでない。この実施の形態は、特許請求の範囲において、種々の変更を加えることができる。
【００１３】
また、肘掛のロック設定、ロック解錠の構成は椅子の両側（両サイド）で対称（左右で対称）であるので、片側に関して詳細に説明し、もう片側に関しての詳細な説明は省略する。
【００１４】
また、本明細書では、説明を簡潔にするために、介護や支援などをされる利用者のことを、単に利用者と適宜に記載する。
【００１５】
［第１実施形態］
（椅子の全体構成）
図１〜図５を参照して、第１実施形態に係る椅子１０の全体構成を説明する。図１で（ａ）は第１実施形態に係る椅子の平面図、（ｂ）は（ａ）の矢視Ｇ−Ｇの側面断面図である。図２で（ａ）は第１実施形態に係る椅子の側面図、（ｂ）は第１実施形態に係る椅子の斜視図であり、何れも肘掛を上げた状態の図である。図３で（ａ）は第１実施形態に係る椅子の側面図、（ｂ）は第１実施形態に係る椅子の斜視図であり、何れも肘掛を肘掛使用位置にした状態の図である。図４は、第１実施形態に係る椅子で、肘掛のロック機構を説明する椅子背面側から見た部分拡大断面図（ロック設定状態）である。図５は、第１実施形態に係る椅子で、肘掛のロック機構を説明する椅子背面側から見た部分拡大断面図（ロック解除状態）である。
【００１６】
椅子１０は、座部１２と、背もたれ１４と、座部１２や背もたれ１４を支えるフレーム材Ｆとを備える。また椅子１０は、肘掛２２と、肘掛２２を回動可能に保持する保持機構Ｈ１と、肘掛２２のロック設定、ロック解除の切り替えを行うロック機構Ｒ１と、を両サイドに備える。
【００１７】
第１実施形態では、椅子１０は４本脚の椅子で、椅子１０のフレーム材Ｆが木製であり、座部１２および背もたれ１４が吸湿性の素材（例えば布）を有する。
【００１８】
肘掛２２は、肘を載せる（肘を掛ける）肘載せ部２３と、肘載せ部２３の裏面側にねじ止め等で固定されるとともに、保持機構Ｈ１の回動軸２４に取付けられている肘掛回動部２６と、を備える。肘掛回動部２６は、後述のロック部材３６が挿通可能な規制用の孔部２８ｈを有する内側部材２８（図４、図５参照）と、内側部材２８を覆う外側部材３０（図４、図５参照）とを備える。
【００１９】
保持機構Ｈ１は、上記の回動軸２４と、回動軸２４を回動可能に支える支持部材３４とを備える。支持部材３４は、背もたれ１４を支える後方フレーム材ＦＢに沿ってフレーム材側方に固定されている。
【００２０】
（ロック機構）
ロック機構Ｒ１は、支持部材３４の内側に配置され、内側部材２８の孔部２８ｈに挿通可能な棒状のロック部材３６と、ロック部材３６を椅子１０の側方に向けて、すなわち孔部２８ｈ側に向けて付勢するロック部材用圧縮コイルバネ３８と、ロック部材３６を孔部２８ｈに対して進退動可能なように支持する筒状の案内部材４０と、肘掛２２の外側に配置されたロック解除用の操作部Ｍ１と、を備える。
【００２１】
ロック部材３６は、外周に沿って膨らみ案内部材４０の内壁で案内されストッパとしての機能も有する外周凸部３６ｐを備えており、ロック部材用圧縮コイルバネ３８の先端側（孔部２８ｈ側）が外周凸部３６ｐに当接している。そして、案内部材４０は、ロック部材用圧縮コイルバネ３８の後端側に当接して支える張出し部４０ｐを備えている。張出し部４０ｐの中央部にはロック部材挿通用の開口４０ｍが形成されており、ロック部材３６がこの開口４０ｍを進退動可能に挿通している。
【００２２】
操作部Ｍ１は、肘掛２２の外側（外側面側）に配置されたロック解除用の押しボタン４４と、押しボタン４４をボタン内側から付勢するボタン用圧縮コイルバネ４８と、押しボタン４４の移動を案内するとともにストッパとしての機能も有するボタン案内部５０と、を備える。
【００２３】
押しボタン４４は、ボタン基端側で外周側から張り出す鍔部４４ｐと、中央部内側から棒状に延び出して孔部２８ｈを挿通可能なロック部材当接部４４ｂと、を備える。
【００２４】
ボタン用圧縮コイルバネ４８には、ロック部材当接部４４ｂが挿通しており、ボタン用圧縮コイルバネ４８は、孔部２８ｈ側では内側部材２８の孔部２８ｈの周囲部に当接し、孔部２８ｈとは反対側では押しボタン４４の裏面側、すなわち押しボタン中央部４４ｍの内壁側に当接して押しボタン４４を椅子側部外方へ付勢している。
【００２５】
ボタン案内部５０は、肘掛回動部２６の外側部材３０を構成しており、椅子側部外方へ短円筒状に延び出す筒部５０ｔと、筒部５０ｔの先端側で筒部内側に張り出すボタンストッパ部５０ｓとを備える。ボタンストッパ部５０ｓの内径は鍔部４４ｐの外径よりも小さい。従って、押しボタン４４が押圧されていないときには、押しボタン４４の鍔部４４ｐがボタンストッパ部５０ｓに内側から当接して押しボタン４４の椅子側部外方への移動が規制され、また、押しボタン中央部４４ｍが筒部５０ｔからやや外方へ出た状態となる。
【００２６】
第１実施形態に係る椅子１０は、このような構成のロック機構Ｒ１を備えており、肘掛２２が肘掛使用位置Ｐ（略水平な位置であり、肘を掛けることができる位置）に位置しているときにはロック設定されており、押しボタン４４が押されることでロック解除になる。そして、ロック解除された肘掛２２が回動移動して肘掛使用位置Ｐに戻ったときにロック設定される。なお、押しボタン４４は比較的強い力で押圧される必要があるようにボタン用圧縮コイルバネ４８のバネ定数が設定されている。
【００２７】
詳細に説明すると、図４に示すように、ロック設定されている状態では、ロック部材３６が孔部２８ｈを挿通しており、ロック部材３６はロック部材用圧縮コイルバネ３８により椅子側部外方Ｄ１へ付勢されている。
【００２８】
図５に示すように、介護者が押しボタン４４を押すと、押しボタン４４のロック部材当接部４４ｂがロック部材３６を椅子側部内方Ｄ２へ押圧し、孔部２８ｈからロック部材３６が退避を開始する。そして、押しボタン４４の鍔部４４ｐが内側部材２８に当接するまで押しボタン４４を押し込むと、ロック部材３６は内側部材２８の孔部２８ｈから完全に退避して肘掛回動部２６の回動規制が解除、すなわちロック解除された状態になる。
【００２９】
そして、肘掛２２を回動させて肘掛２２を上げ、福祉施設で介護や支援をされる利用者が横移乗容易な状態にする（図２参照）。なお、このとき、孔部２８ｈの位置がロック部材３６の先端部の位置とは異なっており、また、ロック部材３６の頭部が内側部材２８の内壁に当接して進出できない状態になので、肘掛２２の回動可能な状態が維持される。
【００３０】
そして、利用者の横移乗が終了後、介護者は肘掛２２を下げる方向に回動させて肘掛使用位置Ｐにまで戻す。この結果、ロック部材３６の先端部に孔部２８ｈが位置して、ロック部材３６がロック部材用圧縮コイルバネ３８からの付勢力によって孔部２８ｈに挿入する。そして、外周凸部３６ｐが内側部材２８の内壁に当接して移動が停止し（図４参照）、ロック設定された状態になる。このロック設定された状態では、移乗後の利用者、すなわち椅子１０に着座していて介護や支援をされる利用者にとって、押しボタン４４を押してロック解除にすることは容易ではない。
【００３１】
従って、介護や支援をされる利用者が横移乗しやすく、しかも移乗後に利用者が椅子座面から誤って横方向に移動することを防止した椅子１０が実現される。また、移乗後に利用者が肘掛２２を通常どおりに使用することができるので、利用者にとって快適であり、しかも介護者が介護支援をし易い。
【００３２】
また、押しボタン４４は肘掛２２の内側（着座者側）ではなく外側に配置されており、着座している利用者が押しボタン４４を押すことは難しいので、安全性が更に高まっている。
【００３３】
また、ロック解除されて上げられた肘掛２２を肘掛使用位置Ｐにまで戻すと、肘掛２２はロック設定される。従って、利用者の横移乗後に介護者などが肘掛２２を肘掛使用位置Ｐにまで戻すことで、肘掛２２を確実にロック設定することができる。
【００３４】
また、椅子１０のフレーム材Ｆが木製であり、座部１２および背もたれ１４が吸湿性の素材（例えば布）を有する。従って、外観が良好で高級感のある椅子にすることができ、福祉施設において娯楽室などの共有スペースに設置して利用するのに最適な椅子にすることが可能となる。
【００３５】
なお、押しボタン４４を押し込んでロック部材３６が内側部材２８の孔部２８ｈから完全に退避したときに、戻り規制機構（図示せず）によってロック部材３６の戻り移動が規制され、肘掛２２が肘掛使用位置Ｐにまで戻されたときに戻り規制機構の規制が解除されてロック部材３６が孔部２８ｈに挿入する構成にしてもよい。これにより、介護者が押しボタン４４の押圧と肘掛２２の回動移動とを同時に行わなくても良いので、介護者の負担が低減される。
【００３６】
また、肘載せ部２３の幅を増大させることで肘載せ部２３を側方に張り出させ、押しボタン４４の上側を覆ってもよい。これにより、利用者が着座状態で押しボタン４４を誤って押すことを更に防止することができる。
【００３７】
［第２実施形態］
図６で（ａ）は第２実施形態に係る椅子の平面図、（ｂ）は（ａ）の矢視Ｊ−Ｊの側面断面図である。図７は、第２実施形態に係る椅子の部分断面図である。図８は、第２実施形態に係る椅子で、保持機構およびロック機構を説明する部分側面断面図（ロック設定状態）である。図９は、第２実施形態に係る椅子で、保持機構およびロック機構を説明する部分側面断面図（ロック解除状態）である。
【００３８】
第２実施形態に係る椅子６０は、第１実施形態に比べ、ロック機構の構成が主に異なる。第２実施形態に係る椅子は、肘掛６２と、肘掛６２を回動可能に保持する保持機構Ｈ２と、肘掛６２のロック設定、ロック解除の切り替えを行うロック機構Ｒ２と、を両サイドに備える。
【００３９】
保持機構Ｈ２は、第１実施形態の回動軸２４と同様の回動軸と、この回動軸を回動可能に支える支持部材６３とを備える。この回動軸には肘掛６２を構成する肘掛回動部６１が回動可能に取付けられている。
【００４０】
ロック機構Ｒ２の操作部Ｍ２は、肘掛６２の裏面後部側にロック解除用の押上部６４を備える。そして、肘掛６２が肘掛使用位置Ｐに位置するときに押上部６４が押し上げられるとロック解除になる構成にされている。
【００４１】
この押上部６４は、保持機構Ｈ２の回動軸（第１実施形態と同様のもの）に平行に配置され、細円柱状の連結部材６６と、連結部材６６に上方から差し込まれて回動不能に連結している２本の押圧部材６８と、連結部材６６に回動不能に連結されて椅子後方に延び出している操作部材７０（第２実施形態では平板状の操作部材）とを備える。肘掛６２には、押圧部材６８が差し込まれて肘掛使用位置で下方から押圧されることで押圧部材６８が上方に移動できる空間Ｓ（図８参照）が形成されている。
【００４２】
また、操作部Ｍ２は、押圧部材６８を肘掛使用位置における肘掛６２の下方（肘掛６２の裏面側）へ押し出す方向へ付勢する押圧部材用圧縮コイルバネ７２を備える。そして、押圧部材６８には、押圧方向への移動が規制されるストッパ７３が空間Ｓ内で取付けられている。
【００４３】
そして、後方フレーム材ＦＢに沿って配置された支持部材６３は、連結部材６６の外周が当接して肘掛６２の回動移動を規制する凹部７６を備える。
【００４４】
第２実施形態では、ロック設定されている状態（図８参照）では、押圧部材用圧縮コイルバネ７２の付勢力によって押圧部材６８が連結部材６６を下方に押し付けており、連結部材６６の移動が凹部７６によって規制されている。
【００４５】
ロック設定の状態で介護者が操作部材７０を上方へ押し上げると、図９に示すように、押上部６４が上昇し、連結部材６６が凹部７６から上方へ移動する。この結果、ロック解除となり、肘掛６２を回動させて上げることができる。
【００４６】
肘掛６２を上げた状態にして利用者の横移乗が終了後、介護者は肘掛６２を肘掛使用位置にまで戻す。この結果、連結部材６６の凹部７６に対して回動移動が規制されてロック設定された状態になる（図８参照）。
【００４７】
このロック設定された状態では、移乗後の利用者、すなわち椅子６０に着座していて介護や支援をされる利用者にとって、操作部材７０を押し上げてロック解除にすることは容易ではない。
【００４８】
従って、介護や支援をされる利用者が横移乗しやすく、しかも移乗後に利用者が椅子座面から誤って横方向に移動することを防止した椅子が実現される。
【００４９】
また、操作部材７０は肘掛６２の内側（着座者側）ではなく肘掛６２の裏面後部側に配置されており、着座している利用者が操作部材７０を上げることは難しいので、安全性が更に高まっている。
【００５０】
また、ロック解除されて上げられた肘掛６２を肘掛使用位置Ｐにまで戻すと、肘掛６２はロック設定される。従って、利用者の横移乗後に介護者などが肘掛６２を肘掛使用位置Ｐにまで戻すことで、肘掛６２を確実にロック設定することができる。
【００５１】
［第３実施形態］
図１０で（ａ）は第３実施形態に係る椅子の平面図、（ｂ）は（ａ）の矢視Ｋ−Ｋの側面断面図である。図１１で（ａ）は第３実施形態に係る椅子の側面図、（ｂ）は第３実施形態に係る椅子の斜視図であり、何れも肘掛を上げた状態の図である。図１２で（ａ）は第３実施形態に係る椅子の側面図、（ｂ）は第３実施形態に係る椅子の斜視図であり、何れも肘掛を肘掛使用位置にした状態の図である。図１３は、第３実施形態に係る椅子で、肘掛のロック機構を説明する椅子背面側から見た部分拡大断面図である。
【００５２】
第３実施形態に係る椅子８０は、第１実施形態に比べ、ロック機構の構成が主に異なっており、ロック部材を押してロック解除するのではなく、ロック部材を引き出すことでロック解除する構成になっている。以下、第３実施形態では、説明を簡明にするために、ロック部材など、第１実施形態と同様または類似する構成要素で向きが第１実施形態とは異なるものには同じ符号を付して説明する。
【００５３】
第３実施形態に係る椅子８０は、肘掛８２と、肘掛８２を回動可能に保持する保持機構Ｈ３と、肘掛８２のロック設定、ロック解除の切り替えを行うロック機構Ｒ３と、を両サイドに備える。
【００５４】
保持機構Ｈ３は、上記の回動軸８４と、回動軸８４を回動可能に支える支持部材８５とを備える。支持部材８５は、孔部２８ｈを有する規制部材８８を備え、孔部２８ｈの内側にはロック部材３６の頭部が進入できるように空洞部を有している。
【００５５】
（ロック機構）
ロック機構Ｒ３は、支持部材８５の外側に配置されて孔部２８ｈに挿通可能なロック部材３６と、ロック部材３６を孔部２８ｈに向けて付勢するロック部材用圧縮コイルバネ３８と、ロック部材３６を孔部２８ｈに対して進退動可能なように支持する筒状の案内部材４０とを備える。案内部材４０は基端側に張出し部４０ｐを備えており、張出し部４０ｐは、ロック部材用圧縮コイルバネ３８の後端側に当接して支えている。
【００５６】
また、ロック部材挿通用の開口４０ｍからロック部材３６の基端側が開口４０ｍを挿通している。そして、ロック部材３６の基端側の端部にはロック解除用のツマミ９０が、ロック解除するための操作部Ｍ３として取付けられている。そして、肘掛８２が肘掛使用位置Ｐに位置するときにツマミ９０が引出し方向Ｄ３（椅子側部外方）へ引き出されるとロック解除となる構成になっている。
【００５７】
第３実施形態に係る椅子８０では、このような構成のロック機構Ｒ３を備えており、肘掛８２が肘掛使用位置Ｐの位置しているときにはロック設定されており、ツマミ９０が引き出されることでロック解除となる。そして、ロック解除された肘掛８２が回動移動して肘掛使用位置Ｐに戻ったときには、第１実施形態と同様、ロック部材３６の先端側に孔部２８ｈが位置し、ロック部材３６が孔部２８ｈに進入してロック設定される。
【００５８】
このロック設定された状態では、移乗後の利用者、すなわち椅子８０に着座していて介護や支援をされる利用者にとって、ツマミ９０を引き出してロック解除にすることは容易ではない。
【００５９】
従って、介護や支援をされる利用者が横移乗しやすく、しかも移乗後に利用者が椅子座面から誤って横方向に移動することを防止した椅子８０が実現される。
【００６０】
また、ツマミ９０は肘掛８２の内側（着座者側）ではなく外側に配置されており、着座している利用者がツマミ９０を引き出すことは難しいので、安全性が更に高まっている。
【００６１】
[その他の実施の形態]
上記のように、実施の形態によって記載したが、この開示の一部をなす論述および図面は例示的なものであり、これに限定するものであると理解すべきではない。この開示から当業者には様々な代替実施の形態、実施例および運用技術が明らかとなろう。このように、本実施の形態はここでは記載していない様々な実施の形態などを含む。
【産業上の利用可能性】
【００６２】
本実施の形態の椅子は、老人施設、リハビリ施設、一般家庭、などで幅広く利用することが可能である。
【符号の説明】
【００６３】
１０  椅子
１２  座部
１４  背もたれ
２２  肘掛
４４  押しボタン
６０  椅子
６２  肘掛
６４  押上部
８０  椅子
８２  肘掛
Ｆ  フレーム材
ＦＢ  後方フレーム材
Ｈ１  保持機構
Ｈ２  保持機構
Ｈ３  保持機構
Ｍ１  操作部
Ｍ２  操作部
Ｍ３  操作部
Ｐ  肘掛使用位置
Ｒ１  ロック機構
Ｒ２  ロック機構
Ｒ３  ロック機構
【図１】
2019000464.tif 000003
【図２】
2019000464.tif 000004
【図３】
2019000464.tif 000005
【図４】
2019000464.tif 000006
【図５】
2019000464.tif 000007
【図６】
2019000464.tif 000008
【図７】
2019000464.tif 000009
【図８】
2019000464.tif 000010
【図９】
2019000464.tif 000011
【図１０】
2019000464.tif 000012
【図１１】
2019000464.tif 000013
【図１２】
2019000464.tif 000014
【図１３】
2019000464.tif 000015